(57)【特許請求の範囲】
【請求項１】
合成樹脂製の第１部品と、
前記第１部品と上下方向に嵌合される合成樹脂製の第２部品と、
前記第１部品と前記第２部品との嵌合方向に沿うように前記第１部品に形成され、前記嵌合方向と直交する面上において前後方向の仮想対称軸に関して左右対称であり、且つ前記仮想対称軸に対して斜めをなす一対の干渉面と、
前記嵌合方向に沿うように前記第１部品に形成され、前記仮想対称軸と直角な平面からなり、前記干渉面に対し前記仮想対称軸と平行な方向に間隔を空けるように配置した受け部と、
前記嵌合方向に沿うように前記第２部品に形成され、前記一対の干渉面に対しその一部のみに当接可能であり、且つ前記仮想対称軸に関して左右対称な一対の干渉部と、
前記嵌合方向に沿うように前記第２部品に形成され、前記仮想対称軸と直角な平面からなり、前記受け部に対して面当たりするように当接可能な当接部とを備えたコネクタにおいて、
前記仮想対称軸と平行な方向における前記受け部から前記干渉面までの最大寸法を、Ｌmaxとし、
前記仮想対称軸と平行な方向における前記受け部から前記干渉面までの最小寸法を、Ｌminiとし、
前記仮想対称軸と平行な方向における前記当接部から前記干渉部までの寸法を、Ｌｏとし、
前記仮想対称軸と直角な方向における前記一対の干渉面間の最大寸法を、Ｄmaxとし、
前記仮想対称軸と直角な方向における前記一対の干渉面間の最小寸法を、Ｄminiとし、
前記仮想対称軸と直角な方向における前記一対の干渉部間の寸法を、Ｄｏとしたときに、
前記寸法Ｌmax、Ｌmini、Ｌｏ、Ｄmax、Ｄmini、Ｄｏは、次式（１）及び（２）
Ｌmax＞Ｌｏ＞Ｌmini…（１）
Ｄmax＞Ｄｏ＞Ｄmini…（２）
が成立し、且つ、前記第１部品と前記第２部品との嵌合過程では、前記受け部と前記当接部が当接するとともに、前記一対の干渉面と前記一対の干渉部がその少なくとも一方に塑性変形を生じさせて確実に食い込むように設定されていることを特徴とするコネクタ。
【請求項２】
前記仮想対称軸と平行な前後方向において、前記一対の干渉面が前記受け部とは反対方向に面しており、
前記一対の干渉面において前記一対の干渉面間の寸法が前記Ｄｏとなる位置から、前記受け部までの寸法をＬｐとしたときに、
前記寸法Ｌｐ、Ｌｏは、次式（３）
Ｌｐ＞Ｌｏ…（３）
が成立するように設定されていることを特徴とする請求項１記載のコネクタ。
【請求項３】
前記干渉面と前記受け部と前記干渉部と前記当接部のうち少なくともいずれか１つには、前記嵌合方向に対して斜めをなすガイド部が形成されていることを特徴とする請求項１又は請求項２に記載のコネクタ。
【請求項４】
前記第１部品と前記第２部品のうちいずれか一方の前記部品に対し、前記第１部品と前記第２部品のうち他方の前記部品が、対をなして互いに反対の方向から前記一方の部品を挟むように嵌合されるようになっているとともに、
前記対をなす他方の部品同士が、ロック部の係止によって嵌合状態にロックされるようになっており、
前記ロック部同士が係止して前記対をなす他方の部品の離間動作が規制されている状態では、前記ガイド部において前記一方の部品と前記対をなす他方の部品とが当接するようになっていることを特徴とする請求項３記載のコネクタ。
【発明の詳細な説明】
【技術分野】
【０００１】
本発明は、コネクタに関するものである。
【背景技術】
【０００２】
特許文献１には、端子金具を収容するハウジングと、ハウジングに組み付けられてハウジングから導出された電線を包囲する電線カバーとを備えたコネクタが開示されている。このコネクタには、ハウジングと電線カバーとの間のガタ付きを防止する手段として、電線カバーにガイド溝を形成するとともに、ハウジングにはガイド溝に嵌入するガイド部を形成した上で、ガイド溝に形成したリブ状のガタ詰め部を、ガイド部に形成した摺接面で圧潰することにより、ガイド溝とガイド部との隙間を無くす構造が設けられている。
【先行技術文献】
【特許文献】
【０００３】
【特許文献１】特開２００４−３４８９８８号公報
【発明の概要】
【発明が解決しようとする課題】
【０００４】
上記のガタ詰め構造では、ガイド部の摺接面と直角な一方向については、ハウジングと電線カバーの相対変位を確実に規制してガタ詰めすることができる。しかし、摺接面と平行な方向に関しては、ガタ詰め部を圧潰することにより生じる摩擦によってハウジングと電線カバーの相対変位を抑制するだけであって、確実なガタ詰めを行うことができない。
本発明は上記のような事情に基づいて完成されたものであって、互いに直角な二方向において確実にガタ詰めを行うことを目的とする。
【課題を解決するための手段】
【０００５】
上記の目的を達成するための手段として、請求項１の発明は、合成樹脂製の第１部品と、前記第１部品と上下方向に嵌合される合成樹脂製の第２部品と、前記第１部品と前記第２部品との嵌合方向に沿うように前記第１部品に形成され、前記嵌合方向と直交する面上において前後方向の仮想対称軸に関して左右対称であり、且つ前記仮想対称軸に対して斜めをなす一対の干渉面と、前記嵌合方向に沿うように前記第１部品に形成され、前記仮想対称軸と直角な平面からなり、前記干渉面に対し前記仮想対称軸と平行な方向に間隔を空けるように配置した受け部と、前記嵌合方向に沿うように前記第２部品に形成され、前記一対の干渉面に対しその一部のみに当接可能であり、且つ前記仮想対称軸に関して左右対称な一対の干渉部と、前記嵌合方向に沿うように前記第２部品に形成され、前記仮想対称軸と直角な平面からなり、前記受け部に対して面当たりするように当接可能な当接部とを備えたコネクタにおいて、前記仮想対称軸と平行な方向における前記受け部から前記干渉面までの最大寸法を、Ｌmaxとし、前記仮想対称軸と平行な方向における前記受け部から前記干渉面までの最小寸法を、Ｌminiとし、前記仮想対称軸と平行な方向における前記当接部から前記干渉部までの寸法を、Ｌｏとし、前記仮想対称軸と直角な方向における前記一対の干渉面間の最大寸法を、Ｄmaxとし、前記仮想対称軸と直角な方向における前記一対の干渉面間の最小寸法を、Ｄminiとし、前記仮想対称軸と直角な方向における前記一対の干渉部間の寸法を、Ｄｏとしたときに、前記寸法Ｌmax、Ｌmini、Ｌｏ、Ｄmax、Ｄmini、Ｄｏは、次式（１）及び（２）
Ｌmax＞Ｌｏ＞Ｌmini…（１）
Ｄmax＞Ｄｏ＞Ｄmini…（２）
が成立し、且つ、前記第１部品と前記第２部品との嵌合過程では、前記受け部と前記当接部が当接するとともに、前記一対の干渉面と前記一対の干渉部がその少なくとも一方に塑性変形を生じさせて確実に食い込むように設定されているところに特徴を有する。
【０００６】
請求項２の発明は、請求項１に記載のものにおいて、前記仮想対称軸と平行な前後方向において、前記一対の干渉面が前記受け部とは反対方向に面しており、前記一対の干渉面において前記一対の干渉面間の寸法が前記Ｄｏとなる位置から、前記受け部までの寸法をＬｐとしたときに、前記寸法Ｌｐ、Ｌｏは、次式（３）
Ｌｐ＞Ｌｏ…（３）
が成立するように設定されているところに特徴を有する。
【０００７】
請求項３の発明は、請求項１又は請求項２に記載のものにおいて、前記干渉面と前記受け部と前記干渉部と前記当接部のうち少なくともいずれか１つには、前記嵌合方向に対して斜めをなすガイド部が形成されているところに特徴を有する。
【０００８】
請求項４の発明は、請求項３に記載のものにおいて、前記第１部品と前記第２部品のうちいずれか一方の前記部品に対し、前記第１部品と前記第２部品のうち他方の前記部品が、対をなして互いに反対の方向から前記一方の部品を挟むように嵌合されるようになっているとともに、前記対をなす他方の部品同士が、ロック部の係止によって嵌合状態にロックされるようになっており、前記ロック部同士が係止して前記対をなす他方の部品の離間動作が規制されている状態では、前記ガイド部において前記一方の部品と前記対をなす他方の部品とが当接するようになっているところに特徴を有する。
【発明の効果】
【０００９】
＜請求項１の発明＞
第１部品と第２部品が嵌合して受け部と当接部が当接した状態では、一対の干渉部の双方が、必ず一対の干渉面における一部のみに当接して、第１部品と第２部品がガタ詰めされる。ここで、一対の干渉面は、仮想対称軸と平行な方向及び仮想対称軸と直角な方向の２方向に対して斜めをなしているので、第１部品と第２部品は、この互いに直角な２方向において確実にガタ詰めされる。
【００１０】
＜請求項２の発明＞
仮想対称軸と平行な方向において、一対の干渉面が受け部とは反対方向に面している場合には、一対の干渉面において一対の干渉面間の寸法がＤｏとなる位置から、受け部までの寸法をＬｐとしたときに、Ｌｐ＞Ｌｏとなるようにすれば、干渉面と干渉部とを確実に当接させてガタ詰めを行うことができる。
【００１１】
＜請求項３の発明＞
第１部品と第２部品を嵌合する過程では、ガイド部によって両部品の位置ずれが矯正されるので、作業性が向上する。
【００１２】
＜請求項４の発明＞
ロック部同士が係止して対をなす他方の部品の離間動作が規制されている状態では、嵌合方向に対して斜めをなすガイド部において一方の部品と対をなす他方の部品とが当接する。これにより、対をなす他方の部品が、嵌合及び離脱方向への相対変位が規制されるとともに、対をなす他方の部品と一方の部品との間における嵌合及び離脱方向のガタ詰めも行われる。
【図面の簡単な説明】
【００１３】
【図１】実施形態１においてコネクタを組み付けた状態をあらわす側面図
【図２】コネクタを組み付けた状態をあらわす平面図
【図３】図１のＸ−Ｘ線断面図
【図４】ハウジングに下カバーを組み付けた状態におけるガタ詰め構造をあらわす部分拡大平面図
【図５】ハウジングに下カバーを組み付けた状態をあらわす側面図
【図６】ハウジングに下カバーを組み付けた状態をあらわす平面図
【図７】ハウジングの側面図
【図８】ハウジングの平面図
【図９】ハウジングの底面図
【図１０】下カバーの斜視図
【図１１】下カバーの平面図
【図１２】上カバーの側面図
【図１３】上カバーの底面図
【発明を実施するための形態】
【００１４】
＜実施形態１＞
以下、本発明を具体化した実施形態１を図１〜図１３を参照して説明する。本実施形態のコネクタは、図１〜３に示すように、合成樹脂製のハウジング１０（本発明の構成要件である第１部品、及び一方の部品）と、ハウジング１０の後端部に組み付けられる電線カバー２０（本発明の請求項１の構成要件である第２部品）とを備えて構成されている。電線カバー２０は、合成樹脂製の下カバー２１Ｂ（本発明の請求項１の構成要件である第２部品、及び請求項４の構成要件である対をなす他方の部品）と合成樹脂製の上カバー２１Ａ（本発明の請求項１の構成要件である第２部品、及び請求項４の構成要件である対をなす他方の部品）とを上下に嵌合して構成されている。この下カバー２１Ｂと上カバー２１Ａとの嵌合方向（組付け方向）は、ハウジング１０に対する下カバー２１Ｂの嵌合方向（組付け方向）、及びハウジング１０に対する上カバー２１Ａの嵌合方向（組付け方向）と平行な方向である。
【００１５】
図３に示すように、ハウジング１０の内部には、前後方向（図３における左右方向）に貫通する複数の端子収容室１１が、幅方向（図３における上下方向）に並列して形成され、各端子収容室１１内には、夫々、ハウジング１０の後方から端子金具１２が挿入されている。各端子金具１２の後端部には電線１３が接続されており、複数の端子金具１２を端子収容室１１に挿入した状態では、複数本の電線１３がハウジング１０の後端面から幅方向に拡がった状態で後方へ導出される。ハウジング１０から導出された複数本の電線１３は、電線カバー２０の内部に収容されることで、導出経路を幅方向に狭められるようになっている。
【００１６】
図７〜９に示すように、ハウジング１０の後端部（図５〜９における右側の端部）には、その左右両外側面を上下方向（下カバー２１Ｂと上カバー２１Ａの嵌合方向と平行な方向）に凹ませた形態であって、平面上（ハウジング１０に対する電線カバー２０の嵌合方向と直交する面）において前後方向の仮想対称軸Ｓ（図８，９を参照）に関して左右対称な一対の外向き溝１４が形成されている。尚、ハウジング１０と電線カバー２０は、仮想対称軸Ｓに関して左右対称な形状となっている。ハウジング１０の後端部のうちハウジング１０の後端面と外向き溝１４との間の部分は、上下方向に延びるとともに外側方へリブ状に突出した形態であって仮想対称軸Ｓに関して左右対称な一対の外向き突部１５となっている。外向き突部１５の前面（即ち、外向き溝１４の後面）と外向き突部１５の後面（ハウジング１０の後端面）は、いずれも、仮想対称軸Ｓの軸線方向に対して直角（即ち、下カバー２１Ｂと上カバー２１Ａとの組付け方向と平行）な平面となっている。そして、外向き突部１５の後面は、受け部１６となっている。
【００１７】
図４，５，７，８に示すように、左右両外向き溝１４の溝底面（ハウジング１０の外側面と平行な面）と左右両外向き突部１５の前面とが連なる部分における上端側部分は、上から視たときに略四半円弧状をなすように湾曲した形態であって、仮想対称軸Ｓに関して左右対称な一対の上部干渉面１７Ａ（本発明の構成要件である干渉面）となっている。この上部干渉面１７Ａは、その全領域に亘り、仮想対称軸Ｓと平行な前後方向及び仮想対称軸Ｓと直角な幅方向の両方向に対して斜めをなしている。また、この一対の上部干渉面１７Ａは、その全領域が、上方に向かって曲率半径が次第に大きくなるとともに、上下方向（ハウジング１０に対する上カバー２１Ａの嵌合方向）に対して僅かに傾斜した上部ガイド面１８Ａ（本発明の構成要件であるガイド部）となっている。この上部干渉面１７Ａ（上部ガイド面１８Ａ）の傾斜の方向は、上方に向かうほど後述する上カバー２１Ａの干渉部２７との嵌合経路から遠ざかる向きとなっている。
【００１８】
図４，７，９に示すように、左右両外向き溝１４の溝底面と左右両外向き突部１５の前面とが連なる部分における下端側部分は、下から視たときに略四半円弧状をなすように湾曲した形態であって、仮想対称軸Ｓに関して左右対称な一対の下部干渉面１７Ｂ（本発明の構成要件である干渉面）となっている。この下部干渉面１７Ｂは、その全領域に亘り、仮想対称軸Ｓと平行な前後方向及び仮想対称軸Ｓと直角な幅方向の両方向に対して斜めをなしている。また、この一対の下部干渉面１７Ｂは、その全領域が、下方に向かって曲率半径が次第に大きくなるとともに、上下方向（ハウジング１０に対する下カバー２１Ｂの嵌合方向）に対して僅かに傾斜した下部ガイド面１８Ｂ（本発明の構成要件であるガイド部）となっている。この下部干渉面１７Ｂ（下部ガイド面１８Ｂ）の傾斜の方向は、下方に向かうほど後述する下カバー２１Ｂの干渉部２７との嵌合経路から遠ざかる向きとなっている。
【００１９】
図３，６，１１に示すように、下カバー２１Ｂは、仮想対称軸Ｓ（図１１を参照）に関して左右対称な形状であって、上面が凹んだ形態の幅広部２２と、幅広部２２の後端から後方へ延出する幅狭部２３とを一体に形成したものである。幅広部２２は、その前端部において幅寸法が最も大きく、後方に向かって次第に狭まるような形態となっている。図１１に示すように、下カバー２１Ｂ（幅広部２２）の前端部には、その左右両側壁部の内面を上下方向に凹ませるとともに幅広部２２の上面に開口させた形態であって、仮想対称軸Ｓに関して左右対称な一対の内向き溝２４が形成されている。下カバー２１Ｂの前端部のうち下カバー２１Ｂの前端面と下部内向き溝２４の前面との間の部分は、上下方向に延びるとともに内側方へリブ状に突出した形態であって仮想対称軸Ｓに関して左右対称な一対の内向き突部２５となっている。
【００２０】
図１３に示すように、上カバー２１Ａは、仮想対称軸Ｓに関して左右対称な形状であって、下面が凹んだ形態をなし、前後方向においては下カバー２１Ｂの幅広部２２のみと対応する大きさとなっている。上カバー２１Ａは、その前端部において幅寸法が最も大きく、後方に向かって次第に狭まるような形態となっている。上カバー２１Ａの前端部には、その左右両側壁部の内面を上下方向に凹ませるとともに上カバー２１Ａの下面に開口させた形態であって、仮想対称軸Ｓに関して左右対称な一対の内向き溝２４が形成されている。上カバー２１Ａの前端部のうち上カバー２１Ａの前端面と内向き溝２４の前面との間の部分は、上下方向に延びるとともに内側方へリブ状に突出した形態であって仮想対称軸Ｓに関して左右対称な一対の内向き突部２５となっている。
【００２１】
図４，１１，１３に示すように、下カバー２１Ｂと上カバー２１Ａにおける内向き突部２５の後面（即ち、内向き溝２４の前面）と内向き溝２４の後面は、いずれも、仮想対称軸Ｓの軸線方向に対して直角（即ち、下カバー２１Ｂと上カバー２１Ａの組付け方向と平行）な平面となっている。そして、内向き溝２４の後面は、当接部２６となっている。内向き突部２５の後面と内向き突部２５の内側面とが連なる角縁部は、上又は下から視たときに直角をなすようにエッジ状に尖った形態であって、仮想対称軸Ｓに関して左右対称な一対の干渉部２７となっている。
【００２２】
図１〜３，５，６，１０，１１に示すように、下カバー２１Ｂの幅広部２２には、その外側面から突出する前後一対ずつのロック突起２８Ｂ（本発明の構成要件であるロック部）が形成され、図１〜３，１２，１３に示すように、上カバー２１Ａには、その外側面から突出する前後一対ずつの弾性変形可能なロック片２８Ａ（本発明の構成要件であるロック部）が形成されている。下カバー２１Ｂと上カバー２１Ａが共にハウジング１０に嵌合されるとともに、下カバー２１Ｂと上カバー２１Ａが組み付けられて電線カバー２０が構成された状態では、ロック突起２８Ｂとロック片２８Ａが係止することにより、両カバーがハウジング１０に対して嵌合状態にロックされるとともに、電線カバー２０がハウジング１０に対して組付け状態にロックされるようになっている。
【００２３】
コネクタを組み付ける際には、端子金具１２が挿入済みのハウジング１０に対して下から下カバー２１Ｂを組み付ける。組付けに際しては、ハウジング１０の一対の外向き溝１４に下カバー２１Ｂの一対の内向き突部２５を嵌合させるとともに、一対の外向き突部１５に一対の内向き溝２４を嵌合させる。嵌合の過程では、当接部２６が受け部１６における下端側領域に対して後方から面当たりするように当接するとともに、左右一対の干渉部２７が左右一対の下部干渉面１７Ｂに対して斜め前方から当接する。
【００２４】
下カバー２１Ｂを組み付けた後は、ハウジング１０及び下カバー２１Ｂに対し上から上カバー２１Ａを組み付ける。組付けに際しては、ハウジング１０の一対の外向き溝１４に下カバー２１Ｂの一対の内向き突部２５を嵌合させるとともに、一対の外向き突部１５に一対の内向き溝２４を嵌合させる。嵌合の過程では、当接部２６が受け部１６における上端側領域に対して後方から面当たりするように当接するとともに、左右一対の干渉部２７が左右一対の上部干渉面１７Ａに対し斜め前方から当接する。
【００２５】
ここで、ハウジング１０と下カバー２１Ｂと上カバー２１Ａの嵌合部分における寸法関係について説明する。図４に示すように、前後方向（仮想対称軸Ｓと平行な方向）における受け部１６から干渉面１７Ａ（１７Ｂ）までの最大寸法をＬmax とし、前後方向における受け部１６から干渉面１７Ａ（１７Ｂ）までの最小寸法をＬminiとし、幅方向（仮想対称軸Ｓと直角な方向）における一対の干渉面１７Ａ（１７Ｂ）間の最大寸法をＤmax とし、幅方向における一対の干渉面１７Ａ（１７Ｂ）間の最小寸法をＤminiとする。また、前後方向における当接部２６から干渉部２７までの寸法をＬｏとし、幅方向における一対の干渉部２７間の寸法をＤｏとする。さらに、一対の干渉面１７Ａ（１７Ｂ）において、幅方向における一対の干渉面１７Ａ（１７Ｂ）間の寸法が上記幅方向における一対の干渉部２７間の寸法Ｄｏと同じ寸法となる位置をＰとし、前後方向における位置Ｐから受け部１６までの寸法をＬｐとする。
【００２６】
そして、上記の寸法Ｌmax 、Ｌmini、Ｌｏ、Ｄmax 、Ｄmini、Ｄｏは、次式（１）及び（２）
Ｌmax ＞Ｌｏ＞Ｌmini…（１）
Ｄmax ＞Ｄｏ＞Ｄmini…（２）
を満たす様な寸法関係に設定されている。
また、前後方向において、一対の干渉面１７Ａ（１７Ｂ）が受け部１６とは反対方向（前方）に面しているという構成を勘案し、上記の寸法Ｌｐ、Ｌｏは、次式（３）
Ｌｐ＞Ｌｏ…（３）
を満たす様な寸法関係に設定されている。
【００２７】
このような寸法設定としたことにより、嵌合過程では、一対の干渉部２７が、潰れるような塑性変形を生じた状態で一対の干渉面１７Ａ（１７Ｂ）に対して確実に食い込むように当接する。このとき、干渉面１７Ａ（１７Ｂ）も、僅かに凹むような塑性変形を生じる。また、干渉面１７Ａ（１７Ｂ）における干渉部２７の当接領域は、水平方向（嵌合方向と直交する方向）における一部分だけとなっている。そして、この食い込みにより、ハウジング１０と下カバー２１Ｂとの間の水平な２方向（即ち、仮想対称軸Ｓと平行な方向、及び仮想対称軸Ｓと直角な方向との両方向）における相対変位が規制されて、ハウジング１０と下カバー２１Ｂがガタ詰めされる。また、ハウジング１０と上カバー２１Ａとの間においても、水平な２方向における相対変位が規制されて、ハウジング１０と上カバー２１Ａがガタ詰めされる。
【００２８】
上述のように本実施形態のコネクタは、ハウジング１０に、前後方向の仮想対称軸Ｓに関して対称であって仮想対称軸Ｓに対して斜めをなす一対の干渉面１７Ａ（１７Ｂ）と、干渉面１７Ａ（１７Ｂ）に対し仮想対称軸Ｓと平行な前後方向に間隔を空けるように配置した受け部１６とを形成し、電線カバー２０には、一対の干渉面１７Ａ（１７Ｂ）に対しその一部のみに当接可能であって、仮想対称軸Ｓに関して対称な一対の干渉部２７と、受け部１６に対して当接可能な当接部２６とを形成している。一対の干渉面１７Ａ（１７Ｂ）と受け部１６と一対の干渉部２７と当接部２６は、いずれも、上下方向、即ちハウジング１０に対する電線カバー２０（下カバー２１Ｂ及び上カバー２１Ａ）の嵌合方向に沿うように形成されている。そして、ハウジング１０と電線カバー２０を嵌合して受け部１６と当接部２６を当接させた状態では、一対の干渉面１７Ａ（１７Ｂ）と一対の干渉部２７が、双方に塑性変形を生じさせた状態で当接するようにしている。この構成によれば、ハウジング１０と電線カバー２０を、仮想対称軸Ｓと平行な前後方向及び仮想対称軸Ｓと直角な左右方向（幅方向）方向の２方向において、確実にガタ詰めすることができる。
【００２９】
また、上部干渉面１７Ａと下部干渉面１７Ｂには、夫々、ハウジング１０と電線カバー２０の嵌合方向（上下方向）に対して斜めをなす上部ガイド面１８Ａと下部ガイド面１８Ｂを形成した。この構成によれば、ハウジング１０と電線カバー２０を嵌合する過程で、ガイド面１８Ａ，１８Ｂによってハウジング１０と電線カバー２０との間の位置ずれが矯正されるので、嵌合の作業性が向上する。
【００３０】
また、電線カバー２０は、ハウジング１０に対する嵌合方向と平行な方向において対をなす下カバー２１Ｂと上カバー２１Ａとを組み付けて構成され、この下カバー２１Ｂと上カバー２１Ａが、ハウジング１０に対して上下方向に挟むように嵌合されるようになっている。また、下カバー２１Ｂと上カバー２１Ａが、ロック突起２８Ｂとロック片２８Ａとの係止によって嵌合状態にロックされるようになっている。そして、ロック突起２８Ｂとロック片２８Ａが係止して下カバー２１Ｂと上カバー２１Ａの離間動作が規制されている状態では、嵌合方向に対して傾斜したガイド部において、ハウジング１０と下カバー２１Ｂとが当接するとともに、ハウジング１０と上カバー２１Ａとが当接するようになっている。この構成によれば、下カバー２１Ｂと上カバー２１Ａとの間の嵌合・離脱方向（上下方向）におけるガタ詰めも実現される。
【００３１】
＜他の実施形態＞
本発明は上記記述及び図面によって説明した実施形態に限定されるものではなく、例えば次のような実施形態も本発明の技術的範囲に含まれる。
（１）上記実施形態では、干渉面を嵌合方向に対して斜めとし、干渉部と受け部と当接部を嵌合方向と平行にしたが、干渉部と受け部と当接部のうちいずれか１つだけを嵌合方向に対して斜めとしてもよく、干渉面と干渉部と受け部と当接部のうちいずれか１つだけを嵌合方向と平行にしてもよく、干渉面と干渉部を嵌合方向と平行にして、受け部と当接部を嵌合方向に対して斜めとしてもよく、受け部と当接部を嵌合方向と平行にして、干渉面と干渉部を嵌合方向に対して斜めとしてもよく、干渉面と干渉部と受け部と当接部の全てを嵌合方向に対して斜めとしてもよく、干渉面と干渉部と受け部と当接部の全てを嵌合方向と平行にしてもよい。
（２）上記実施形態では、干渉部と干渉面が当接したときに干渉部と干渉面の両方が塑性変形するようにしたが、干渉部のみが塑性変形するようにしてもよく、干渉面のみが塑性変形するようにしてもよい。
（３）上記実施形態では、干渉面を、仮想対称軸に対する傾斜角度が不均一となる弧状面としたが、干渉面は、仮想対称軸に対する傾斜角度が全領域に亘って一定となる平面であってもよい。
（４）上記実施形態では、仮想対称軸と平行な方向において一対の干渉面が受け部とは反対方向に面するようにしたが、仮想対称軸と平行な方向において一対の干渉面が受け部側に面するようにしてもよい。この場合、仮想対称軸と直角な方向における一対の干渉部間の寸法をＤｏとし、仮想対称軸と平行な方向における当接部から干渉部までの寸法をＬｏとし、一対の干渉面において一対の干渉面間の寸法がＤｏとなる位置から、受け部までの寸法をＬｐとしたときに、寸法Ｌｐ、Ｌｏを、Ｌｐ＜Ｌｏとなるように設定すれば、干渉面と干渉部とを確実に当接させてガタ詰めを行うことができる。
（５）上記実施形態では、１つの第１部品に対して２つの第２部品が嵌合されるようにしたが、１つの第１部品に嵌合される第２部品の数は、１つでもよく、３つ以上でもよい。
（６）上記実施形態では、コネクタを構成する第１部品の数を１つだけとしたが、第１部品の数は複数であってもよい。この場合、第２部品の数は、１つだけでもよく、複数でもよい。
（７）上記実施形態では、第１部品がハウジングであり、第２部品が電線カバーである場合について説明したが、第１部品が電線カバーであり、第２部品がハウジングであってもよい。
（８）上記実施形態では、ハウジングと電線カバーを嵌合する場合について説明したが、本発明は、ハウジングと電線カバーとの嵌合構造に限らず、ハウジングと電線カバー以外の部品（例えば、ハウジングに収容した端子金具を抜止めするためのリテーナや、ハウジングに取り付けたゴム栓を抜止めするためのホルダ）との嵌合構造、ハウジングを構成する複数の構成部品（例えば、端子金具のうち前端部を除いた部分を収容するハウジング本体と、端子金具の前端部を収容するフロント部材との組み合わせ）同士の嵌合構造、電線カバーを構成する複数の構成部品同士の嵌合構造、雄側ハウジングと雌側ハウジングとの嵌合構造、インナハウジングとアウタハウジングとの嵌合構造、分割コネクタにおいてフレームとフレームに嵌合される複数のサブハウジングとの嵌合構造、基板用コネクタにおけるハウジングとアライメントプレートとの嵌合構造等、コネクタを構成する複数の部品同士を嵌合する種々の構造に適用することができる。
【符号の説明】
【００３２】
１０…ハウジング（第１部品、一方の部品）
１６…受け部
１７Ａ…上部干渉面（干渉面）
１７Ｂ…下部干渉面（干渉面）
１８Ａ…上部ガイド面（ガイド部）
１８Ｂ…下部ガイド面（ガイド部）
２０…電線カバー（第２部品）
２１Ａ…上カバー（第２部品、対をなす他方の部品）
２１Ｂ…下カバー（第２部品、対をなす他方の部品）
２６…当接部
２７…干渉部
２８Ａ…ロック片（ロック部）
２８Ｂ…ロック突起（ロック部）
Ｓ…仮想対称軸
【図１】
0005561127.tif 000002
【図２】
0005561127.tif 000003
【図３】
0005561127.tif 000004
【図４】
0005561127.tif 000005
【図５】
0005561127.tif 000006
【図６】
0005561127.tif 000007
【図７】
0005561127.tif 000008
【図８】
0005561127.tif 000009
【図９】
0005561127.tif 000010
【図１０】
0005561127.tif 000011
【図１１】
0005561127.tif 000012
【図１２】
0005561127.tif 000013
【図１３】
0005561127.tif 000014